(57)【要約】【課題】プレゼンテーション用機能を実行させるハードウェア的なスイッチを削除することができ、安価に構成することができる資料提示装置を提供する。【解決手段】資料載置台１０の資料載置領域にポインティング用仮想スクリーンＳ１を設定し、複数のスイッチ部７０が配列された操作領域に操作指示用仮想スクリーンＳ２を設定する。ライトペン６０で、ポインティング用仮想スクリーンＳ１内を発光指示すると表示画像にポイント画像が合成され、操作指示用仮想スクリーンＳ２に発光指示するとプレゼンテーション用機能が実行される。【選択図】        図１
2004312575.tif 000002
【特許請求の範囲】
【請求項１】
資料が載置される資料載置領域と、操作機能を表す操作領域とを有し、これら領域に亘って仮想スクリーンが設定される資料載置台と、
少なくともこの資料載置台を撮影範囲とする撮像部と、
画像信号を表示装置に出力する画像出力部と、
前記仮想スクリーンにポインティングするための指示マークと、
前記撮像部による撮影画像のデータが入力されるとともに、前記仮想スクリーン内での前記指示マークの座標を算出し、該座標が、
前記資料載置領域内に該当する座標である場合には、その座標に対応する前記表示装置内の画像の座標に所定のポイント画像を合成させる指示を発行し、
前記操作領域内に該当する座標である場合には、その座標に応じて設定されたプレゼンテーション機能を実行させる指示を発行し、
前記資料載置領域内および前記操作領域内のいずれにも該当しない座標の場合には、前記各指示のいずれも発行しない処理を実行する制御部と
を備えることを特徴とする資料提示装置。
【請求項２】
前記資料載置台に設定される前記仮想スクリーンが複数であり、
該複数の仮想スクリーンは前記資料載置台上の互いに重複しない領域に設定され、
それらのうちの１の仮想スクリーンは前記資料載置領域に対して設定され、他の１の仮想スクリーンは前記操作領域に設定され、
前記制御部は、
前記１の仮想スクリーンに前記指示マークで指示がなされると、該仮想スクリーン内での指示マークの座標に対応する前記表示装置内の画像の座標に所定のポイント画像を合成させる指示を発行し、
前記他の１の仮想スクリーンに前記指示マークで指示がなされると、該仮想スクリーン内での指示マークの座標に応じて設定されたプレゼンテーション機能を実行させる指示を発行することを特徴とする請求項１に記載の資料提示装置。
【請求項３】
前記プレゼンテーション用機能は、前記ポイント画像の形状設定または色設定のうちの少なくとも１つであることを特徴とする請求項１または２に記載の資料提示装置。
【請求項４】
前記プレゼンテーション用機能は、前記画像出力部に供給される画像の選択、画面のページ送り／戻し、出力画像の静止、前記撮像部のズーム倍率調整のうちの少なくとも１つであることを特徴とする請求項１または２に記載の資料提示装置。
【請求項５】
前記撮像部には、その撮影光路に対し、特定波長の光のみを撮影可能とする光学フィルタが挿脱自在に具備され、前記指示マークは、該特定波長を含む光で発光する発光部であることを特徴とする請求項１〜４のいずれかに記載の資料提示装置。
【発明の詳細な説明】
【０００１】
【発明の属する技術分野】
本発明は、原稿や写真等の資料を撮影し、その撮影画像をＣＲＴや液晶ディスプレイ等のモニタやスクリーン等に表示させるプレゼンテーション用の資料提示装置に関する。
【０００２】
【従来の技術】
スクリーン等に上記のような資料の画像を表示しながら、講演や商品の説明等プレゼンテーションを行う場合、近年では資料提示装置が用いられてきている。資料提示装置は、一般に、資料を置く資料載置台、資料を被写体とする動画用のカメラ等を主体として構成されている。カメラの撮影画像すなわち資料画像は、例えば液晶プロジェクタへ出力され、その場合には液晶プロジェクタからスクリーンに投影される。このような資料提示装置には、カメラのフォーカス調整やズーム調整等の機能を実行させるスイッチが設けられている。また、資料提示装置の中には、パソコンが接続されたり、外部記憶メディアが挿入されたりして、これらの中から画像を出力するようになされたものもある。そのような資料提示装置には、フォーカス調整やズーム調整の他に、出力画像の選択や、出力画像のページ送り／戻しといった機能を実行させるスイッチ（ボタン）が設けられているものがある（例えば、特許文献１参照）。
【０００３】
また、本出願人は、特願２００２−１７７０３８で、プレゼンター用のモニタとプロジェクタの２系統に撮像部画像、記憶画像または外部画像を出力し、それら出力画像の切り替え、画面送り／戻し、更には画面送り／戻しの連動を、資料載置台に設けた操作パネルのスイッチ（所定キー）で実行させる資料提示装置を提案している。
【０００４】
【特許文献１】
特開平１１−２７５４１５号公報  （図１）
【０００５】
【発明が解決しようとする課題】
上記のような機能を実行させるためのスイッチは、実体を伴ったハードウェアから構成されるものである。したがって、スイッチごとにそれらの構成要素が必要であり、機能が多ければ多いほどスイッチの数に伴って部品点数が多くなるので、コストの上昇を招く。また、押しボタン式のスイッチ等は、損耗による故障の可能性もある。
【０００６】
よって本発明は、プレゼンテーション用機能を実行させるハードウェア的なスイッチを削除することができ、よって安価に構成することができる資料提示装置を提供することを目的としている。
【０００７】
【課題を解決するための手段】
本発明は、資料が載置される資料載置領域と、操作機能を表す操作領域とを有し、これら領域に亘って仮想スクリーンが設定される資料載置台と、少なくともこの資料載置台を撮影範囲とする撮像部と、画像信号を表示装置に出力する画像出力部と、仮想スクリーンにポインティングするための指示マークと、撮像部による撮影画像のデータが入力されるとともに、仮想スクリーン内での指示マークの座標を算出し、該座標が、資料載置領域内に該当する座標である場合には、その座標に対応する表示装置内の画像の座標に所定のポイント画像を合成させる指示を発行し、操作領域内に該当する座標である場合には、その座標に応じて設定されたプレゼンテーション機能を実行させる指示を発行し、資料載置領域内および操作領域内のいずれにも該当しない座標の場合には、各指示のいずれも発行しない処理を実行する制御部とを備えることを特徴としている。
【０００８】
本発明の表示装置とは、液晶プロジェクタ等の投影装置から画像が投影されるスクリーンや、画像データが入力されて画像を表示するＴＶ受像機や液晶ディスプレイ等を言う。その表示装置には、資料載置台に置かれて撮像部で撮影された資料の画像が、画像出力部を経て表示される。また、本発明の仮想スクリーンとは、資料載置台に重ねて設定され、画像処理によってＸＹ座標が生成される二次元的空間のことであり、この仮想スクリーンに、指示マークで指示する状態を撮像部で撮影すると、制御部はその指示マークの位置を仮想スクリーン上の座標として算出し、該座標に応じて設定された処理を実行させる指示を発行する。
【０００９】
具体的な処理としては、ポイント画像を表示装置の表示画像に合成させるポインティング機能と、プレゼンテーション用機能が挙げられる。すなわち、資料載置台の資料載置領域内に指示マークで指示がなされると、仮想スクリーン上での指示マークの座標に対応する表示装置内の画像の座標に、所定のポイント画像が合成される。また、操作領域内に指示マークで指示がなされると、仮想スクリーン上での座標に応じて設定されたプレゼンテーション機能が実行される。このプレゼンテーション用機能とは、例えば、ポイント画像の形状設定や色設定が挙げられる。また、画像出力部に供給される画像の選択、画面のページ送り／戻し、出力画像の静止、撮像部のズーム倍率調整等も挙げられる。本発明では、仮想スクリーンが、資料載置台上の互いに重複しない領域に複数設定され、それら仮想スクリーンのうち、１の仮想スクリーンが資料載置領域に対して設定され、他の１の仮想スクリーンが操作領域に設定される形態を含む。
【００１０】
本発明によれば、操作領域に指示マークで指示する動作がスイッチ操作となり、したがって、従来のようなハードウェア的なスイッチを削除することができ、安価に構成することができる。なお、１つの仮想スクリーン内でポインティング用の領域（資料載置領域）と操作指示用の領域（操作領域）とを併用すると、仮想スクリーンが大きくなり、かつ両者の間には使用しない余白領域が生じるので全体的に画像分解能が劣化するおそれがある。そこで、上記のように仮想スクリーンを複数設定し、ポインティング用と操作指示用の仮想スクリーンを個別に設定すれば、画像分解能の劣化を防止することができるといった更なる利点がある。
【００１１】
本発明では、撮像部に、特定波長の光のみを撮影可能とする光学フィルタを撮影光路に対して挿脱自在に具備させ、指示マークは該特定波長を含む光で発光する発光部とする形態を採ることができる。特定波長光としては赤外光が挙げられる。この形態では、撮像部の撮影光路中に光学フィルタを挿入した状態で発光部により資料へのポインティングあるいはスイッチ部への指示を行う。光学フィルタが撮影光路中に挿入されていることにより撮像部は発光部のみを撮影することができ、このため、指示マークを確実に識別することができ、安定した動作が得られる。
【００１２】
【発明の実施の形態】
以下、図面を参照して本発明の一実施形態を説明する。
図１（ａ），（ｂ）は、一実施形態に係るプレゼンテーション用の資料提示装置１を示しており、図２は該装置１の構成ならびに機能を系統的に現したブロック図である。図１に示すように、資料提示装置１は、上面に資料Ｄが置かれる資料載置台１０と、この資料載置台１０にアーム１１を介して支持された撮像部２０と、プレゼンター用のモニタ３０とを備えている。アーム１１は、資料載置台１０の左奥端部に立設された支柱部１１ａの上端に、手前側に延びるＬ字状の水平部１１ｂが固定されたもので、水平部１１ｂの先端は資料載置台１０のほぼ中央上方に位置しており、その先端に、資料載置台１０を撮影範囲とする撮像部２０が取り付けられている。
【００１３】
モニタ３０は、ヒンジ３１を介して資料載置台１０の奥端部に開閉自在に取り付けられており、図１に示す開いた状態で、画面が手前側を向き、使用者（プレゼンター）がその画面を視認する。モニタ３０の開き角度は手動で適宜に調整できるようになっている。
【００１４】
撮像部２０は、図２に示すように、カメラ２１と光学フィルタ２２とを備えている。カメラ２１は、ズーム機能およびオートフォーカス機能を備えている。光学フィルタ２２は、不可視光である赤外光のみを撮影可能とするもので、カメラ２１の撮影光路に対して挿脱自在にセットされている。この場合、光学フィルタ２２の挿脱は手動で行うようになされている。図２に示すように、撮像部２０による撮影画像は制御部４０に取り込まれて処理され、画像出力部４１から、モニタ３０および液晶プロジェクタ５０に出力される。液晶プロジェクタ５０からは、撮影画像が図示せぬスクリーンに投影される。制御部４０は、例えば資料載置台１０に内蔵されている。なお、撮像部２０は、モニタ３０も撮影できるように、アーム１１に回転自在に取り付けられていても良い。
【００１５】
図１および図３に示すように、資料載置台１０の上面には、資料Ｄを置く資料載置領域が設定されているとともに、この資料載置領域の手前側に、操作領域が設定されている。操作領域には、同一形状／大きさの複数の矩形状のスイッチ部７０が横一列に等間隔をおいて配列されている。各スイッチ部７０は矩形状に区画された単なるスペースであり、矩形状の枠を資料載置台１０に印刷したり、枠が印刷されたシールを貼付するなどの手段で設けられている。
【００１６】
制御部４０は、一般的な画像処理の方式によって、図１（ｂ）および図３（ｂ）に示すように、撮像部２０で撮影している資料載置台１０の表面の資料載置領域と操作領域とに、それぞれ個別にポインティング用仮想スクリーンＳ１のＸＹ座標と、操作指示用仮想スクリーンＳ２のＸＹ座標とを生成する。これら仮想スクリーンＳ１，Ｓ２の生成法としては、それぞれの領域の四隅で赤外光を発光させ、これら４点の発光点を、光学フィルタ２２をカメラ２１の撮影光路に挿入した状態の撮像部２０で撮影し、その画像データから各発光点の位置を認識するといった方法が挙げられる。
【００１７】
図１の６０は、プレゼンターが手に持って使用するライトペンである。このライトペン６０は、先端にＬＥＤ等で構成される発光部６１を備えており、発光部６１を当てて押すと、ＯＮになって発光部６１が発光するものである。発光部６１の発光は、撮像部２０の光学フィルタ２２を透過する不可視光である。撮像部２０の光学フィルタ２２を撮影光路中に挿入した状態で、プレゼンターは資料Ｄ中の指示したい部分や、スイッチ部７０にライトペン６０の発光部６１を当てて発光させると、発光部６１の画像が撮像部２０を介して制御部４０に取り込まれる。
【００１８】
制御部４０は、ポインティング用仮想スクリーンＳ１内にライトペン６０の発光部６１で指示（発光指示）があった時、発光部６１の座標を算出し、その座標に対応するモニタ３０およびスクリーンに表示されている画像の座標に、所定のポイント画像を合成する。これによって、資料画像にポインティングすることができる。なお、ポインティング時には光学フィルタ２２を挿入するため資料Ｄは撮影されないので、資料画像にポインティングする際には、光学フィルタ２２を外して取り込んだ資料画像を一旦静止画像に処理して表示し、この後、光学フィルタ２２を挿入してポインティングを行う。
【００１９】
撮像部２０で撮影される操作領域内の各スイッチ部７０は、操作指示用仮想スクリーンＳ２内での座標領域としてそれぞれ制御部４０に記憶される。そして、制御部４０には、１つのスイッチ部７０の座標領域に対し、ある１つのプレゼンテーション用機能が、それぞれ関連付けて記憶される。この関連付けは、例えば使用者が任意に行うことができ、全てのスイッチ部７０に対して行うか、あるいは必要なプレゼンテーション用機能の数だけ行う。スイッチ部７０には、どのようなプレゼンテーション用機能かを表示させておくと好ましい。このプレゼンテーション用機能としては、例えば、上記ポインティング時のポイント画像の形状設定や色設定、撮像部２０のカメラ２１のズーム倍率調整（増大／縮小）等が挙げられる。そして、操作指示用仮想スクリーンＳ２内にライトペン６０の発光部６１で発光指示があった時、そのスイッチ部７０に関連付けられたプレゼンテーション用機能が、制御部４０により実行される。
【００２０】
以下、図４を参照して制御部４０の具体的動作例を説明する。
まず、各仮想スクリーンＳ１，Ｓ２内にライトペン６０による発光指示があるか否かを検出し（ステップＳ１０１）、発光指示があった場合は、その発光指示点の座標を検出する（ステップＳ１０２）。そしてその座標が、ポインティング用仮想スクリーンＳ１内のものか、操作指示用仮想スクリーンＳ２内のものかを検出し（ステップＳ１０３）、前者の場合であれば、ポインティング用仮想スクリーン座標に変換し（ステップＳ１０４）、その座標内の発光指示点の座標にポイント画像を生成する（ステップＳ１０５）。また、ステップＳ１０３で発光指示点が操作指示用仮想スクリーンＳ２内であると検出したら、操作指示用仮想スクリーン座標に変換し（ステップＳ１０６）、次いで、発光指示点の座標がいずれかのスイッチ部７０に該当するか否かを検出する（ステップＳ１０７）。ステップＳ１０５で、あるスイッチ部７０に該当すると検出したら、そのスイッチ部７０に関連付けられたプレゼンテーション用機能を実行させる（ステップＳ１０８）。
【００２１】
上記実施形態では、スイッチ部７０をライトペン６０の発光部６１で指示すると、制御部４０が発光部６１の位置（座標領域）からプレゼンテーション用機能を認識して実行させる。スイッチ部７０は、資料載置台１０の所定位置に区画される単なるスペースであり、ハードウェア的なスイッチとは異なるものであるから、大幅なコストダウンを図ることができる。
【００２２】
なお、図１（ａ）および図３（ａ）では、資料載置領域と操作領域とを囲む１つの仮想スクリーンＳを資料載置台１０上に設定している例を示しており、この場合も、上記実施形態と同様に、ライトペン６０による発光指示によってポインティングあるいはプレゼンテーション用機能を実行させることができる。しかしながら、このように１つの仮想スクリーンＳ内にポインティング用の資料載置領域とプレゼンテーション機能用の操作領域とを併用すると、仮想スクリーンが大きくなり、かつ両者の間には使用しない余白領域が生じるので全体的に画像分解能が劣化するおそれがあるが、図１（ｂ）および図３（ｂ）に示すように、各領域に応じてポインティング用仮想スクリーンＳ１と操作指示用仮想スクリーンＳ２とを個別に設定することにより、画像分解能の劣化を防止することができるといった利点がある。
【００２３】
また、ライトペン６０で発光指示する時には、光学フィルタ２２を撮影光路中に挿入するので、その時、撮像部２０は発光部６１のみを撮影することができ、このため、制御部４０に発光部６１を確実に識別させることができ、安定した動作が得られる。
【００２４】
なお、上記実施形態ではスイッチ部７０を資料載置台１０に設けているが、モニタ３０の縁（例えば、下端の縁）にも同様に設けることができる。その場合、撮像部２０をモニタ３０に向け、スイッチ部７０が配列された領域に操作指示用仮想スクリーンを生成し、モニタ３０の画面に、ポインティング用仮想スクリーンを生成する。これにより、資料Ｄに代えてモニタ３０に表示される資料画像にポインティングすることができ、また、モニタ３０に設けたスイッチ部によってプレゼンテーション用機能を実行させることができる。
【００２５】
また、上記実施形態では、資料載置台１０に置いた資料Ｄの撮影画像（資料画像）をモニタ３０およびスクリーンに表示する構成であるが、本発明は、パソコンを接続させたり、外部記憶メディアを挿入／駆動でき、これらの中から画像をモニタおよびスクリーンに表示できるタイプの資料提示装置にも適用することができる。その場合、プレゼンテーション用機能としては、出力画像の選択や、出力画像のページ送り／戻しといった機能を、上記のようなスイッチ部７０によって実行させることが可能である。
【００２６】
【発明の効果】
以上説明したように本発明によれば、仮想スクリーンが設定された資料載置台の操作領域内で指示マークにより指示する動作をスイッチ操作として応用することができるので、ハードウェア的なスイッチを削除することができ、もって安価に構成することができる。また、各仮想スクリーンを個別に設定するので、画像分解能の劣化を防止することができ、処理が的確に実行される。
【図面の簡単な説明】
【図１】本発明の一実施形態に係る資料提示装置の斜視図であり、（ａ）は資料載置台上に１つの仮想スクリーンを生成した場合、（ｂ）はポインティング用と操作指示用の２つの仮想スクリーンを個別に生成した場合を示している。
【図２】一実施形態の資料提示装置の構成ならびに機能を系統的に表したブロック図である。
【図３】（ａ）は資料載置台上に１つの仮想スクリーンを生成する例を示す図、（ｂ）はポインティング用と操作指示用の２つの仮想スクリーンを生成する例を示す図である。
【図４】一実施形態の動作例を示すフローチャートである。
【符号の説明】
１…資料提示装置、１０…資料載置台、２０…撮像部、２２…光学フィルタ、
３０…モニタ（表示装置）、４０…制御部、４１…画像出力部、
５０…液晶プロジェクタ（表示装置）、６１…発光部（指示マーク）、
７０…スイッチ部、Ｓ１…ポインティング用仮想スクリーン、
Ｓ２…操作指示用仮想スクリーン。
【図１】
2004312575.tif 000003
【図２】
2004312575.tif 000004
【図３】
2004312575.tif 000005
【図４】
2004312575.tif 000006